(57)【要約】      （修正有）【課題】配管からのホース引き出し作業の円滑化に寄与する配管洗浄ノズル及び配管洗浄装置を提供する。【解決手段】配管洗浄ノズル１０Ａは、ホースが固定されるノズル本体１２と、洗浄水の噴射孔を備え、ノズル本体１２に回転可能に外嵌される回転体１４とを備える。回転体１４は、後方斜め外向きであって当該回転体１４に回転力を与える向きに洗浄水を噴射可能な第１噴射孔３０ａと、前方斜め外向きに洗浄水を噴射可能な第２噴射孔３０ｂとを備える。ノズル本体１２は、第１ホース６ａが固定される第１固定部２０ａ及び第２ホース６ｂが固定される第２固定部２０ｂと、第１固定部２０ａに固定される第１ホース６ａと回転体１４の第１噴射孔３０ａとを連通させる第１流路２２ａ及び第２固定部２０ｂに固定される第２ホース６ｂと第２噴射孔３０ｂとを連通させる第２流路２２ｂとを備える。【選択図】図２
0003187588.tif 000002
【実用新案登録請求の範囲】
【請求項１】
流体供給用のホース先端に固定されて、配管洗浄に用いられる配管洗浄ノズルであって、
前記ホースが固定されるノズル本体と、
流体の噴射孔を備え、前記ノズル本体に回転可能に外嵌される回転体とを備え、
前記回転体は、前記噴射孔として、前記ホース側である後方斜め外向きであって当該回転体に回転力を与える向きに流体を噴射可能な第１噴射孔と、反ホース側である前方斜め外向きに流体を噴射可能な第２噴射孔とを備え、
前記ノズル本体は、前記ホースとして第１ホースが固定される第１固定部及び第２ホースが固定される第２固定部と、前記第１固定部に固定される前記第１ホースと前記回転体の第１噴射孔とを連通させる第１流路及び前記第２固定部に固定される前記第２ホースと前記回転体の第２噴射孔とを連通させる第２流路とを備える、ことを特徴とする配管洗浄ノズル。
【請求項２】
請求項１に記載の配管洗浄ノズルにおいて、
前記第２噴射孔は、前記回転体に対して回転力を与える向きに流体を噴射することを特徴とする配管洗浄ノズル。
【請求項３】
請求項２に記載の配管洗浄ノズルにおいて、
前記回転体は、前記ノズル本体に回転可能に外嵌されかつ前記第１噴射孔及び前記第２噴射孔を備える円筒状の回転体本体と、この回転体本体の外周面上に揺動可能に支持され、当該回転体本体の外周面に沿った収納位置と当該回転体の径方向外側に変位した展開位置とに亘って揺動自在な一乃至複数の洗浄補助体とを備え、
前記第１噴射孔は、前記回転体本体に対して第１方向の回転力を与える向きに流体を噴射する一方、前記第２噴射孔は、前記回転体本体に対して前記第１方向とは逆の第２方向の回転力を与える向きに流体を噴射するように形成され、
前記洗浄補助体は、前記回転体が前記第２方向へ回転するときの慣性力で前記収納位置に保持される一方、前記回転体が前記第１方向に回転するときの慣性力で前記展開位置に変位することを特徴とする配管洗浄ノズル。
【請求項４】
請求項３に記載の配管洗浄ノズルにおいて、
前記洗浄補助体は、回転体本体の周方向に延びる円弧状をなし、かつ前記第２方向においける先端部で、当該回転体本体に対してその軸方向と平行な軸回りに揺動可能に支持されていることを特徴とする配管洗浄ノズル。
【請求項５】
請求項１乃至４の何れか一項に記載の配管洗浄ノズルにおいて、
前記ノズル本体は、前記第１固定部及び前記第２固定部を備える本体後部と、この本体後部から前方に延びて前記回転体が回転可能に外嵌される本体前部とを有し、前記本体後部の表面に、カメラを保持可能な、前後方向に延びる凹部が形成されており、
当該配管洗浄ノズルはさらに、前記凹部に保持された前記カメラを前記本体後部に固定するための固定具を備えることを特徴とする配管洗浄ノズル。
【請求項６】
請求項５に記載の配管洗浄ノズルにおいて、
前記第１固定部及び前記第２固定部は、前記本体後部に互いに横並びに設けられており、
前記凹部は、前記本体後部のうち、前記各固定部の並び方向における当該両固定部の中央位置に形成されていることを特徴とする配管洗浄ノズル。
【請求項７】
請求項６に記載の配管洗浄ノズルであって、
前記回転体のうち、前記第１噴射孔よりも後方側の位置に前記第２噴射孔が設けられている、ことを特徴とする配管洗浄ノズル。
【請求項８】
請求項７に記載の配管洗浄ノズルであって、
前記第１噴射孔と前記第２噴射孔とは、前記回転体のうち、その周方向の互いに異なる位置に設けられていることを特徴とする配管洗浄ノズル。
【請求項９】
配管内部を洗浄する配管洗浄装置であって、
請求項１乃至８の何れか一項に記載の配管洗浄ノズルと、
前記配管洗浄ノズルの前記第１固定部に固定される第１ホース及び前記２固定部に固定される第２ホースと、
前記第１ホース及び前記第２ホースを通じて前記配管洗浄ノズルに流体を供給する流体供給手段と、
前記第１ホース及び前記第２ホースに対する流体の供給状態を切り替え可能な切換手段と、を含むことを特徴とする配管洗浄装置。
【考案の詳細な説明】
【技術分野】
【０００１】
本考案は、配管の内壁洗浄に用いられる配管洗浄ノズル、及びこの配管洗浄ノズルを備えた配管洗浄装置に関するものである。
【背景技術】
【０００２】
従来から、ホース先端にノズル（配管洗浄ノズル）を固定し、このノズルをホースと共に配管内に挿入しながら、当該ノズルから洗浄水を高圧噴射させて配管の内壁を洗浄することが行われている。この種のノズルは、例えば特許文献１に記載されるように、複数の噴射口を備えており、これら噴射口から、後側（ホース側）かつ斜め外向きに高圧水を噴射させることで、その推進力により配管内をホースと共に前進移動させながら配管内部を洗浄できるように構成されている。
【先行技術文献】
【特許文献】
【０００３】
【特許文献１】特許第４２３１４８８号公報
【考案の概要】
【考案が解決しようとする課題】
【０００４】
上記ノズルによれば、噴射口から噴射される高圧水による推進力により、ノズルをホースと共に配管の奥深くに送り込んでその内部を洗浄することができる。ところが、このように配管の奥深くに送り込んだホースを引き出すのは必ずしも容易ではない。また、このような引き出し作業においては、配管の屈曲部分などにホースが引っ掛かることがあるが、このような状態でホースを強引に引っ張るとホースが破断することも考えられる。
【０００５】
本考案は、上記の事情に鑑みて成されたものであり、配管からのホース引き出し作業の円滑化に寄与する配管洗浄ノズル及び配管洗浄装置を提供することにある。
【課題を解決するための手段】
【０００６】
上記課題を解決するために、本考案は、流体供給用のホース先端に固定されて、配管洗浄に用いられる配管洗浄ノズルであって、前記ホースが固定されるノズル本体と、流体の噴射孔を備え、前記ノズル本体に回転可能に外嵌される回転体とを備え、前記回転体は、前記噴射孔として、前記ホース側である後方斜め外向きであって当該回転体に回転力を与える向きに流体を噴射可能な第１噴射孔と、反ホース側である前方斜め外向きに流体を噴射可能な第２噴射孔とを備え、前記ノズル本体は、前記ホースとして第１ホースが固定される第１固定部及び第２ホースが固定される第２固定部と、前記第１固定部に固定される前記第１ホースと前記回転体の第１噴射孔とを連通させる第１流路及び前記第２固定部に固定される前記第２ホースと前記回転体の第２噴射孔とを連通させる第２流路とを備えるものである。
【０００７】
そして、本考案の配管洗浄装置は、上記の配管洗浄ノズルと、前記配管洗浄ノズルの前記第１固定部に固定される第１ホース及び前記２固定部に固定される第２ホースと、前記第１ホース及び前記第２ホースを通じて前記配管洗浄ノズルに流体を供給する流体供給手段と、前記第１ホース及び前記第２ホースに対する流体の供給状態を切り替え可能な切換手段と、を含むものである。
【０００８】
このような配管洗浄ノズル、及び配管洗浄装置によれば、第１ホースを通じて配管洗浄ノズルに流体を供給すると、配管洗浄ノズルの第１流路を通じて第１噴射孔から流体が噴射され、この噴射によりホース等に対して前進方向（配管へのホース送り込み方向）の推進力が与えられる。よって、この推進力により配管洗浄ノズルをホースと共に配管の奥深くに送り込みながら、当該噴射による流体圧により配管内部を洗浄することができる。この場合、流体の噴射に伴い回転体がノズル本体に対して回転する。よって、配管内周面をその全周に亘って良好に洗浄することが可能となる。他方、第２ホースを通じて配管洗浄ノズルに流体を供給すると、配管洗浄ノズルの第２流路を通じて第２噴射孔から流体が噴射され、この噴射によりホース等に対して後退方向（配管からのホース引き出し方向）の推進力が与えられる。よって、ホース引き出し作業の際には、第２噴射孔のみから流体を噴射させて当該推進力を得ることで、ホース引き出し作業を円滑に行うことが可能となる。
【０００９】
なお、上記配管洗浄ノズルにおいて、前記第２噴射孔は、前記回転体に対して回転力を与える向きに流体を噴射するのが好適である。
【００１０】
この配管洗浄ノズルよれば、第２噴射孔からの流体噴射時にも回転体がノズル本体に対して回転する。よって、ホース引き出し時にも、配管内周面をその全周に亘って洗浄しながらホース等を引き出すことが可能となる。
【００１１】
上記の配管洗浄ノズルにおいて、前記回転体は、前記ノズル本体に回転可能に外嵌されかつ前記第１噴射孔及び前記第２噴射孔を備える円筒状の回転体本体と、この回転体本体の外周面上に揺動可能に支持され、当該回転体本体の外周面に沿った収納位置と当該回転体の径方向外側に変位した展開位置とに亘って揺動自在な一乃至複数の洗浄補助体とを備え、前記第１噴射孔は、前記回転体本体に対して第１方向の回転力を与える向きに流体を噴射する一方、前記第２噴射孔は、前記回転体本体に対して前記第１方向とは逆の第２方向の回転力を与える向きに流体を噴射するように形成され、前記洗浄補助体は、前記回転体が前記第２方向へ回転するときの慣性力で前記収納位置に保持される一方、前記回転体が前記第１方向に回転するときの慣性力で前記展開位置に変位するものであるのが好適である。
【００１２】
この配管洗浄ノズルによれば、第１噴射孔から流体を噴射させると、この噴射による回転体の第１方向への回転に伴い洗浄補助体が展開位置に変位する。よって、配管内に付着した汚れを当該洗浄補助体で掻き落とすことが可能となり、洗浄能力が向上する。しかも、第２噴射孔から流体を噴射させ、この噴射により回転体を第１方向とは逆の第２方向に回転させれば、洗浄補助体は収納位置に配置される。そのため、ホース引き出し作業時に洗浄補助体が邪魔になることも抑制される。
【００１３】
この場合、前記洗浄補助体は、例えば、回転体本体の周方向に延びる円弧状をなし、かつ前記第２方向における先端部で、当該回転体本体に対してその軸方向と平行な軸回りに揺動可能に支持されているのが好適である。
【００１４】
この配管洗浄ノズルによれば、回転体の回転方向の切り替え、つまり、流体が噴射される噴射孔を変更するだけで、洗浄補助体を収納位置と展開位置とに配置させることが可能となる。
【００１５】
また、上記の配管洗浄ノズルにおいて、前記ノズル本体は、前記第１固定部及び前記第２固定部を備える本体後部と、この本体後部から前方に延びて前記回転体が回転可能に外嵌される本体前部とを有し、前記本体後部の表面に、カメラを保持可能な、前後方向に延びる凹部が形成されており、当該配管洗浄ノズルはさらに、前記凹部に保持された前記カメラを前記本体後部に固定するための固定具を備えるものであってもよい。
【００１６】
この配管洗浄ノズルによれば、配管内撮像用のカメラを配管洗浄ノズルに安定的に搭載した状態で当該配管洗浄ノズルと共に配管内に挿入することが可能となる。そのため、配管内の状態や洗浄状態を画像認識する上で有利となる。
【００１７】
この場合、前記第１固定部及び前記第２固定部は、前記本体後部に互いに横並びに設けられており、前記凹部は、前記本体後部のうち、前記各固定部の並び方向における当該両固定部の中央位置に形成されているのが好適である。
【００１８】
この配管洗浄ノズルによれば、両固定部の中間位置にカメラをコンパクトに配置することが可能となる。
【００１９】
なお、カメラを保持可能な上記凹部を備える配管洗浄ノズルについては、前記回転体のうち、前記第１噴射孔よりも後方側の位置に前記第２噴射孔が設けられているのが好適である。
【００２０】
この配管洗浄ノズルによれば、第１噴射孔からカメラに向かって流体が噴射されることを回避しながら、当該配管洗浄ノズルを前後方向にコンパクト化することが可能となる。
【００２１】
また、この場合、前記第１噴射孔と前記第２噴射孔とは、前記回転体のうち、その周方向の互いに異なる位置に設けられているのが好適である。
【００２２】
この配管洗浄ノズルによれば、第１、第２噴射孔の双方から流体を同時に噴射させた場合に、これらが互いに干渉するのを回避することができる。よって、第１、第２噴射孔の双方から流体を噴射させながら配管洗浄を行うことも可能となる。
【考案の効果】
【００２３】
以上説明したように、本考案の配管洗浄ノズルによれば、配管からのホース引き出し作業の際に、当該引き出し方向の推進力を得ることが可能となるため、ホース引き出し作業の円滑化を図ることができる。
【図面の簡単な説明】
【００２４】
【図１】本考案の第１実施形態に係る配管洗浄ノズルを示す斜視図である。
【図２】配管洗浄ノズルが適用された配管洗浄装置の概略構成を示す回路図である。
【図３】配管洗浄ノズルの断面斜視図である。
【図４】配管洗浄ノズルの分解状態の断面斜視図である。
【図５】カメラの取り付け構造を説明する図１のＡ矢視図（一部分解図）である。
【図６】本考案の第２実施形態に係る配管洗浄ノズルを示す斜視図である。
【図７】可動部（洗浄補助体）の動作を説明する配管洗浄ノズルの模式図である。
【考案を実施するための形態】
【００２５】
以下、本考案の好ましい実施形態について図面を参照して説明する。
【００２６】
図１は、本考案に係る配管洗浄ノズルを斜視図で示している。図２は、図１の配管洗浄ノズルが適用された配管洗浄装置の概略構成を示している（配管洗浄ノズルは断面図で示している）。また、図３、図４は、配管洗浄ノズルを組立状態および分解状態の斜視図で各々示している。
【００２７】
これらの図に示すように、配管洗浄ノズル１０Ａ（以下、ノズル１０Ａと略す）は、概略的には、２本のホース６ａ、６ｂが固定されるノズル本体１２と、このノズル本体１２に回転可能に外嵌される回転体１４と、回転体１４をノズル本体１２に対して抜け止めするナット部材１６と、ノズル本体１２とナット部材１６との間をシールするシール部材１７と、カメラ８を固定するためのプレート部材１８とを備える。なお、ノズル１０Ａは、ホース６ａ、６ｂが固定される側が後側で、それとは反対側（反ホース側）が前側である。
【００２８】
ノズル本体１２は、ホース６ａ、６ｂが固定される平面視略ホームベース型の本体後部１３ａと、この本体後部１３ａから前方に延びる円柱状の本体前部１３ｂとを有する。本体後部１３ａには、一方側のホース６ａ（第１ホース６ａという）が固定（接続）される第１固定部２０ａと、他方側のホース６ｂ（第２ホース６ｂという）が固定（接続）される第２固定部２０ｂとが並列（横並び）に設けられている。これら固定部２０ａ、２０ｂは、後向きに開口して前後方向に延びるねじ孔であり、各ホース６ａ、６ｂは、それらの一端に各々装着される図外のホースジョイントが固定部２０ａ、２０ｂに螺合、挿入されることで、ノズル本体１２（ノズル１０Ａ）に固定（接続）される。なお、ホース６ａ、６ｂの反ノズル側の端部は、図２に示すように、切換バルブ４及びポンプ２を介してタンク１に接続されている。これにより、タンク１に貯溜された洗浄水（本考案の流体の一種）がノズル１０Ａに供給される。すなわち、当例では、前記切換バルブ４が本考案の切換手段に相当し、タンク１及びポンプ２等が本考案の流体供給手段に相当する。
【００２９】
ノズル本体１２の内部には、互いに独立して前後方向に延びる、第１流路２２ａ及び第２流路２２ｂが形成されている。第１流路２２ａは、その後端が第１固定部２０ａに繋がっており、第２流路２２ｂは、その後端が第２固定部２０ｂに繋がっている。
【００３０】
なお、ノズル本体１２の本体前部１３ｂの側面には、第１流路２２ａと外部とを連通する第１開口部２４ａが形成されるとともに、第２流路２２ａと外部とを連通する開口部２４ｂとが形成されている。第１開口部２４ａは、本体前部１３ｂの先端近傍の位置に設けられており、第２開口部２４ｂは、本体前部１３ｂの基端近傍の位置に設けられている。各開口部２４ａ、２４ｂは、周方向に互いにずれている。
【００３１】
回転体１４は、ノズル本体１２の前記本体前部１３ｂに回転可能に外嵌され、当該ノズル本体１２（本体前部１３ｂ）に対して前記ナット部材１６で抜け止めされている。詳しくは、本体前部１３ｂの先端外周面には雄ねじ２６が形成されており、ナット部材１６が本体前部１３ｂの前端側から雄ねじ２６に螺着されている。これにより、回転体１４が、ノズル本体１２の本体前部１３ｂとナット部材１６とにより前後方向に拘束された状態で、前記本体前部１３ｂに回転可能に外嵌されている。なお、本体前部１３ｂの先端面とナット部材１６（ねじ穴の奥端部）との間には、例えばゴム製の前記シール部材１７が挟み込まれており、これにより、各流路２２ａ、２２ｂの前端がシール部材１７により液密状態に閉止されている。
【００３２】
回転体１４の内周面には、前後方向の互いに異なる位置で各々周方向に連続的に延びる第１溝部２８ａ及び第２溝部２８ｂが形成されている。第１溝部２８ａは、前後方向における第１開口部２４ａと同じ位置、つまり第１開口部２４ａと対向する位置に形成されており、第２溝部２８ｂは、前後方向における第２開口部２４ｂと同じ位置、つまり第２開口部２４ｂと対向する位置に形成されている。そして、第１溝部２８ａから径方向外側に向かって延びて回転体１４の外周面に開口する複数の第１噴射孔３０ａと、第２溝部２８ｂから径方向外側に向かって延びて回転体１４の外周面に開口する複数の第２噴射孔３０ｂとが、さらに回転体１４に形成されている。この構成により、第１ホース６ａを通じてノズル１０Ａに供給される当該洗浄水は、第１固定部２０ａ、第１流路２２ａ、第１開口部２４ａ及び第１溝部２８ａを介して第１噴射孔３０ａから噴射され、他方、第２ホース６ｂを通じてノズル１０Ａに供給される洗浄水は、第２固定部２０ｂ、第２流路２２ｂ、第２開口部２４ｂ及び第２溝部２８ｂを介して第２噴射孔３０ｂから噴射されるようになっている。
【００３３】
ここで、各第１噴射孔３０ａは、第１溝部２８ａから本体前部１３ｂの径方向外側に斜め後方に向かって延びて後ろ向きに開口するように形成されており、他方、各第２噴射孔３０ｂは、第２溝部２８ｂから本体前部１３ｂの径方向外側に斜め前方に向かって延びて前向きに開口するように形成されている。また、詳しく図示していないが、各第１噴射孔３０ａ及び各第２噴射孔３０ｂは、互いに反対向きにかつほぼ螺旋状（本体前部１３ｂの中心軸Ｏと捻れの位置関係となる状態）に延びている。つまり、第１噴射孔３０ａは、図１及び図２中に実線で示すように、洗浄水をノズル１０Ａの後方斜め外向きに噴射させ、この噴射に伴い、ノズル先端側から見たときに、回転体１４を時計回りに回転させるように形成されている。他方、第２噴射孔３０ｂは、同図中の二点鎖線に示すように、洗浄水をノズル１０Ａの前方斜め外向きに噴射させ、この噴射に伴い、第１噴射孔３０ａと同様に、回転体１４を時計回りに回転させるように形成されている。
【００３４】
第１噴射孔３０ａ及び第２噴射孔３０ｂは、周方向の互いに異なる位置に設けられている。当例では、ノズル先端側から見たときに、例えば第１噴射孔３０ａと第２噴射孔３０ｂとが周方向に交互に並ぶように、各噴射孔３０ａ、３０ｂが設けられている。これにより、両噴射孔３０ａ、３０ｂから同時に洗浄水を噴射させたときに、各噴射孔３０ａ、３０ｂから噴射される洗浄水が互いに干渉（衝突）することが抑制される。
【００３５】
図１及び図５に示すように、ノズル本体１２の本体後部１３ａには、円柱状のカメラ８を保持可能な凹部３２が設けられている。この凹部３２は、前後方向に延びる断面略半円形状の凹部で、各固定部２０ａ、２０ｂの並び方向（図５では左右方向）における両固定部２０ａ、２０ｂの中央位置に設けられている。カメラ８は、この凹部３２に前向きに載置された状態で、前記プレート部材１８（本考案の固定具に相当する）によりノズル本体１２（本体前部１３ｂ）に固定される。プレート部材１８は、カメラ８を押さえ込むアーチ型の保持部１８ａとその両側に繋がる一対のフランジ部１８ｂとを備えており、フランジ部１８ｂがボルト１９により本体後部１３ａに固定されることで、カメラ８を押さえ込んだ状態でノズル本体１２に固定する。なお、ノズル本体１２（本体後部１３ａ）のうち、凹部３２の両側には、ねじ穴３３（図６に示す）を備えた略平坦なプレート固定部３４が形成されており、プレート部材１８の各フランジ部１８ｂは、当該フランジ部１８ｂに形成される貫通穴を通じてボルト１９が前記ねじ穴３３に螺合、挿入されることで、ノズル本体１２（本体後部１３ａ）に固定される。
【００３６】
以上のようなノズル１０Ａを用いて配管の洗浄を行うには、図２に示すように、各ホース６ａ、６ｂの一端をノズル１０Ａに接続する。具体的には、上述の通り、第１ホース６ａのホースジョイントをノズル１０Ａの第１固定部２０ａに螺合、挿入し、第２ホース６ｂのホースジョイントを第２固定部２０ｂに螺合、挿入する。また、各ホース６ａ、６ｂの反ノズル側の端部を、切換バルブ４及びポンプ２を介してタンク１に接続する。なお、切換バルブ４は、各ホース６ａ、６ｂに供給される洗浄水の流量を無段階に制御可能（すなわち、ホース６ａ、６ｂに対する洗浄水の供給状態を変更可能）な手動、又は電動の切り替えバルブである。
【００３７】
上記の準備が完了した後、ノズル１０Ａをその先端側から配管に挿入する。この場合には、切換バルブ４を制御し、第１ホース６ａのみを通じてノズル１０Ａに洗浄水を供給する。つまり、第１噴射孔３０ａのみから洗浄水を噴射させる。この場合、洗浄水は、第１噴射孔３０ａから斜め後方に向かって噴射されるため、この洗浄水の噴射により、ノズル１０Ａ及びホース６ａ、６ｂに前進方向（配管へのホース送り込み方向）の推進力が与えられる。従って、ノズル１０Ａをホース６ａ、６ｂと共に配管の奥深くに円滑に送り込みながら、当該噴射による洗浄水の圧力で配管内部を洗浄することができる。この際、第１噴射孔３０ａから洗浄水が噴射されると、当該噴射に伴い回転体１４がノズル本体１２に対して回転するため、これにより配管の全周を良好に洗浄することができる。
【００３８】
配管洗浄後は、切換バルブ４を切り換え、第２ホース６ｂのみでノズル１０Ａに洗浄水を供給しながら、ホース６ａ、６ｂを配管から引き出す。つまり、第２噴射孔３０ｂのみから洗浄水を噴射させる。このようにすると、第２噴射孔３０ｂから斜め前方に向かって洗浄水が噴射されるため、この噴射によりノズル１０Ａ及びホース６ａ、６ｂに後退方向（配管からのホース引き出し方向）の推進力が与えられる。よって、配管の奥深くまでホース６ａ、６ｂを挿入した場合でも、難なくホース６ａ、６ｂを引き出すことが可能となる。また、このような推進力を得ることができることで、ノズル１０Ａやホース６ａ、６ｂが配管の屈曲部分等に引っ掛かることも抑制される。
【００３９】
従って、上記のようなノズル１０Ａによれば、配管へのノズル等の挿入時にしか推進力を得ることができない従来のノズルに比べると、配管からのホース６ａ、６ｂの引き出し作業をより円滑に行うことが可能となる。
【００４０】
しかも、ホース６ａ、６ｂの引き出し作業中、上記のように第２噴射孔３０ｂから洗浄水が噴射されることで配管内をさらに洗浄することができる。この場合、洗浄水の噴射に伴い回転体１４がノズル本体１２に対して回転するため、配管の全周を良好に洗浄することができる。従って、上記ノズル１０Ａによれば、配管へのホース６ａ、６ｂの挿入時のみならず、ホース６ａ、６ｂの引き出し中の期間を利用して効果的に配管内の洗浄を行うことができるという利点もある。
【００４１】
また、上記ノズル１０Ａによれば、両各噴射孔３０ａ、３０ｂから洗浄水を噴射させることで、より効果的な態様（噴射量、噴射範囲）で配管を洗浄することが可能となるという利点もある。この場合、上記ノズル１０Ａによれば、各第１噴射孔３０ａの位置と各第２噴射孔３０ｂの位置とが周方向にずれているため、両噴射孔３０ａ、３０ｂから噴射される洗浄水が互いに干渉することが抑制される。そのため、両噴射孔３０ａ、３０ｂから洗浄水を噴射させながら配管内を効果的に洗浄することができる。
【００４２】
さらに、従来のように後方にのみ洗浄水を噴射させるノズルでは、進行方向前方に汚れの塊などがある場合、これを洗浄水の水圧で除去することが困難なため、ノズルの進行が妨げられることがあった。しかし、上記ノズル１０Ａによれば、第２噴射孔３０ｂから前方に向かって洗浄水を噴射させることが可能なため、上記汚れを水圧で粉砕して前進することができる。従って、従来のノズルに比べて、配管内の洗浄をより確実に行うことができるという利点もある。
【００４３】
また、上記ノズル１０Ａによれば、上記の通り、カメラ８を搭載することが可能なため、配管の洗浄途中でその洗浄状態などを、画像を通じて確認しながら洗浄作業を行うことができるという利点もある。特に、上記のノズル１０Ａによれば、カメラ８を保持するための凹部３２がノズル本体１２に形成されており、カメラ８を当該凹部３２に載置し、当該カメラ８をプレート部材１８によりノズル本体１２側に押さえ込んだ状態で固定できるように構成されている。そのため、カメラ８をノズル１０Ａに安定的に搭載した状態で、ノズル１０Ａと共に配管内に挿入することができるという利点がある。また、凹部３２は、ノズル本体１２の本体前部１３ｂのうち、各固定部２０ａ、２０ｂの並び方向における両固定部２０ａ、２０ｂの中央位置に形成されているので、両固定部２０ａ、２０ｂ間のスペースを利用してカメラ８をコンパクトに配置することができるという利点もある。
【００４４】
しかも、上記ノズル１０Ａによれば、回転体１４のうち、第１噴射孔３０ａよりも後方側の位置に第２噴射孔３０ｂが備えられているので、ノズル１０Ａにカメラ８を搭載可能としながらも、ノズル１０Ａを前後方向にコンパクト化できるという利点もある。すなわち、第２噴射孔３０ｂよりも後方側の位置に第１噴射孔３０ａを設けるとすれば、第１噴射孔３０ａからカメラ８に洗浄水が噴射されるのを避けるために、カメラ８から前方に離間した位置に第１噴射孔３０ａを設けた上で、さらに第１噴射孔３０ａよりも前方側に第２噴射孔３０ｂを設ける必要がある。そのため回転体１４が前後方向に長くなる。これに対して、上記ノズル１０Ａの構成によれば、カメラ８から前方に比較的離間した位置に第１噴射孔３０ａを設けながらも、この第１噴射孔３０ａよりも後方側に第２噴射孔３０ｂが設けられるため、第１噴射孔３０ａよりも前方側に回転体１４が長くなるこが抑制される。従って、カメラ８を搭載可能としながらも、ノズル１０Ａを前後方向にコンパクト化することができる。
【００４５】
次に、本考案の第２実施形態に係る配管洗浄ノズル１０Ｂ（以下、ノズル１０Ｂと略す）について、図６及び図７を用いて説明する。なお、第２実施形態に係るノズル１０Ｂの基本的な構成は、第１実施形態のノズル１０Ａと共通するため、共通する部分については、同一符号を付して説明を省略し、以下の説明では、主に第１実施形態のノズル１０Ａとの相違点について詳細に説明する。
【００４６】
第２実施形態のノズル１０Ｂでは、回転体１４が、ノズル本体１２（本体後部１３ａ）に回転可能に外嵌される円筒状の回転体本体１５ａと、この回転体本体１５ａの外周面上に配置される複数（当例では３つ）の可動体１５ｂ（本考案の洗浄補助体に相当する）と、これら可動体１５ｂを揺動可能に支持する支持体１５ｃとを含む点で、第１実施形態のノズル１０Ａと構成が相違する。
【００４７】
回転体本体１５ａは、第１実施形態で説明した回転体１４とほぼ同等のものである。但し、第１噴射孔３０ａが洗浄水の噴射に伴い回転体本体１５ａを時計回り（ノズル先端側から見たときに時計回り（図６中の実線矢印方向）／本考案の第１方向に相当する）に回転させるように形成されるのに対して、第２噴射孔３０ｂは、洗浄水の噴射に伴い回転体本体１５ａを反時計回り（ノズル先端側から見たときに反時計回り（図６中の二点鎖線矢印方向）／本考案の第２方向に相当する）に回転させるように形成されている。この点で、回転体本体１５ａは、第１実施形態で説明した回転体１４と構成が相違している。
【００４８】
各可動体１５ｂは、回転体本体１５ａの外周面上であってかつ前記第１噴射孔３０ａとナット部材１６との間の位置に、周方向に等間隔で配置されている。可動体１５ｂは、回転体本体１５ａの外周面に合致する円弧状、かつ帯状の形状を有する部材である。各可動体１５ｂは、図７に示すように、周方向（長手方向）一端部、具体的には、ノズル先端側から見たときに反時計回り方向（図７中の二点矢印方向）の一端部を支点として、回転体本体１５ａの外周面に沿った収納位置（図７中の実線に示す位置）と、この収納位置から回転体本体１５ａの径方向外側に変位した展開位置とに亘って揺動可能となるように、前記支持体１５ｃにより回転体本体１５ａの外周面上に支持されている。詳しくは、可動体１５ｂの前記一端部にが軸部（回転体本体１５ａの軸方向と平行に延びる軸部）が形成されており、前記可動体１５ｂは、当該軸部を介して支持体１５ｃにより回転体本体１５ａの外周面上に支持されている。なお、支持体１５ｃは、回転体本体１５ａの外周面上に固定されている。
【００４９】
このような第２実施形態のノズル１０Ｂによれば、第１噴射孔３０ａから洗浄水が噴射され、この噴射に伴い回転体１４（回転体本体１５ａ）が時計回り（ノズル先端側から見て時計回り）に回転すると、この回転による慣性力で、図６中に実線（図７中に一点鎖線）で示すように可動体１５ｂが収納位置から展開位置に変位し、その状態で回転体１４が回転する。従って、これら可動体１５ｂにより配管の内壁に付着した異物等を掻き取ることが可能となり、洗浄水の水圧のみで配管内を洗浄する、第１実施形態のノズル１０Ａに比べて洗浄能力を向上させることができる。
【００５０】
しかも、第２噴射孔３０ｂから洗浄水が噴射されると、この噴射に伴い回転体１４（回転体本体１５ａ）が反時計回り（ノズル先端側から見て反時計回り）に回転し、この回転による慣性力で、図７中に実線で示すように、各可動体１５ｂが収納位置に保持される。従って、ホース６ａ、６ｂを配管から引き出す場合も、可動体１５ｂが配管内で引っ掛かる等の不都合を伴うことなく、ホース６ａ、６ｂの引き出し作業を円滑に行うことができる。
【００５１】
以上、本考案の実施形態に係るノズル１０Ａ、１０Ｂ及び当該ノズル１０Ａ、１０Ｂを備えた配管洗浄装置（図２）について説明したが、これらノズル１０Ａ、１０Ｂ等は、本考案に係る配管洗浄ノズル及び配管洗浄装置の好ましい実施形態の例示であって、配管洗浄ノズル等の具体的な構成は、本考案の要旨を逸脱しない範囲で適宜変更可能である。
【００５２】
例えば、第１実施形態のノズル１０Ａは、カメラ８を搭載可能な構成（ノズル本体１２の凹部３２やプレート部材１８等）を備えているが、当該構成を省略してもよい。また、このノズル１０Ａでは、第１噴射孔３０ａよりも後側に第２噴射孔３０ｂが設けられているが、例えばカメラ８を搭載するための構成が省略されるものでは、カメラ８への洗浄水の噴射を考慮する必要がないため、第１噴射孔３０ａよりも前側に第２噴射孔３０ｂが設けられていてもよい。さらに、回転体１４の前後方向の同じ位置に第１噴射孔３０ａと第２噴射孔３０ｂとが設けられていてもよい。
【００５３】
また、第１実施形態のノズル１０Ａでは、洗浄水の噴射に伴う回転体１４の回転方向は、何れの噴射孔３０ａ、３０ｂから洗浄水を噴射させる場合も同じ（ノズル先端側から見て時計回り）であるが、第２実施形態のノズル１０Ｂと同様に、第１噴射孔３０ａから噴射させる場合と第２噴射孔３０ｂから噴射させる場合とで、回転体１４の回転方向が互いに異なるようにしてもよい。
【００５４】
また、第２実施形態のノズル１０Ｂは、本考案の洗浄補助体として、円弧状の３つの可動体１５ｂを備えているが、洗浄補助体（可動体１５ｂ）の具体的な形状や数は、第２実施形態のものに限定されるものではなく、適宜変更可能である。
【００５５】
また、上記各実施形態では、洗浄水を用いて配管内を洗浄する例について説明したが、配管を洗浄するための流体は水に限定されず、それ以外の液体であってもよい。また、エアなどの気体であってもよい。
【符号の説明】
【００５６】
１  タンク
２  ポンプ
４  切換バルブ
６ａ  第１ホース
６ｂ  第２ホース
１０Ａ、１０Ｂ  配管洗浄ノズル
１２  ノズル本体
１４  回転体
１６  ナット部材
１８  プレート部材
３０ａ  第１噴射孔
３０ｂ  第２噴射孔
【図１】
0003187588.tif 000003
【図２】
0003187588.tif 000004
【図３】
0003187588.tif 000005
【図４】
0003187588.tif 000006
【図５】
0003187588.tif 000007
【図６】
0003187588.tif 000008
【図７】
0003187588.tif 000009